(57)【要約】【課題】構造が比較的簡易でありコスト低減が可能であり、しかも、時差の修正操作を極めて容易に行うことができ、時差のある２つの地域の時刻を一目で正確に読み取る時差表示時計を提供する。【解決手段】副時針軸２０は主時針軸１９に係脱軸受手段を介して従動可能に係合しており、該係合力に抗して略３０度ずつ間欠的に回転可能に軸支される。プッシャー２２を押した際の操作力は、副時針調整手段を介して副時針軸２０に伝達され、プッシャー２２による一押し操作ごとに、前記係脱軸受手段による係合力に抗して副時針軸２０ないし副時針３４のみを１時間相当の３０度ずつ回転させることができる。【選択図】図１
2004053315.tif 000002
【特許請求の範囲】
【請求項１】
２本の時針である主時針および副時針と、前記主時針が一体に支持されて運針駆動手段により回転駆動される主時針軸と、前記副時針が一体に支持されて前記主時針軸に軸支され、該主時針軸に従動して一体に回転する副時針軸とを備え、時差のある２つの時刻を表示することができる時差表示時計において、
前記副時針軸を前記主時針軸に対して従動可能に係合させると共に、該係合力に抗して一定角度ずつ間欠的に回転可能に軸支するための係脱軸受手段と、
外部操作手段による操作力を、前記副時針軸を回転させる方向に伝達可能で、前記外部操作手段による一操作単位ごとに、前記係脱軸受手段による係合力に抗して前記副時針軸を前記主時針軸に対して一定角度ずつ回転させる副時針調整手段とを有することを特徴とする時差表示時計。
【請求項２】
前記係脱軸受手段は、前記主時針軸の外周に連設され弾性を備えた複数のガンギ車歯と、前記主時針軸に外嵌する筒状の前記副時針軸の内周に連設され、前記各ガンギ車歯に噛み合うと共に各ガンギ車歯の弾性変形に伴い各ガンギ車歯の先端部を順次乗り越えつつ間欠的に移動可能な複数の三角歯とから成ることを特徴とする請求項１記載の時差表示時計。
【請求項３】
副時針調整手段は、前記副時針軸の外周に連設された複数の被係合歯と、時計本体の外部に設けられて押圧操作が可能な前記外部操作手段に一端が連結され、他端が前記副時針軸の外周に近接する位置まで延ばされ、前記外部操作手段の一押圧操作ごとに前記各被係合歯に一つずつ係合して押圧し、前記主時針軸に外嵌した前記副時針軸を一定角度ずつ回転させる連動部材とから成ることを特徴とする請求項１または２記載の時差表示時計。
【請求項４】
前記外部操作手段を覆って押圧操作を不能とするロック位置と、前記外部操作手段から離れて押圧操作を可能とするロック解除位置とに変位可能なカバー手段を有することを特徴とする請求項３記載の時差表示時計。
【請求項５】
前記副時針軸が前記主時針軸に対して間欠的に回転する単位となる前記一定角度を、文字盤全周が１２時間で均等分割された場合の１時間分に相当する略３０度に設定したことを特徴とする請求項１，２，３または４記載の時差表示時計。
【請求項６】
前記副時針を、前記主時針の下側に重なる際に該主時針により隠蔽される大きさに形成したことを特徴とする請求項１，２，３，４または５記載の時差表示時計。
【請求項７】
前記主時針と前記副時針とを互いに異なる色としたことを特徴とする請求項１，２，３，４，５または６記載の時差表示時計。
【発明の詳細な説明】
【０００１】
【発明の属する技術分野】
本発明は、２本の時針である主時針および副時針と、前記主時針が一体に支持されて運針駆動手段により回転駆動される主時針軸と、前記副時針が一体に支持されて前記主時針軸に軸支され、該主時針軸に従動して一体に回転する副時針軸とを備え、時差のある２つの時刻を表示することができる時差表示時計に関する。
【０００２】
【従来の技術】
従来、アナログ式の腕時計において、時差のある２つの地域の時刻を同時に表示することができるタイプとしては、いわゆるＧＭＴ機能を備えたものや、２つのムーブメントに対応した一対の文字盤および針を備えた各種の時差表示時計が一般に知られていたが、何れも機構が複雑化したり大型化を招くという欠点があり、かかる欠点を解消し得る時差表示時計として、特開２００１−８３２６５号公報に示すようなものが既に提案されている。
【０００３】
この公報記載の時差表示時計は、運針用モータにより回転駆動する秒針と、該秒針歯車の回転に基づき回転する分針歯車と、該分針の回転に従動する時針と、さらに該時針の回転に従動する時差表示用時針とを備えて成り、前記時差表示用時針のみを独自の回転駆動機構によって回転させることができるように構成したものである。
【０００４】
【発明が解決しようとする課題】
しかしながら、前述したような公報記載の時差表示時計では、時差表示用時針のみを回転させることができる回転駆動機構の構造が複雑であるため、部品点数が多くなり組付工数も増大して、過度のコストアップの要因になるという問題点があった。
【０００５】
また、時差表示用の時刻を修正する場合、使用者がリューズを回転させると、各種歯車を介して回転力が伝達され、最終的に時差表示用時針が回転して所望の時差時刻に合わせることができるが、ここで時差表示用時針は無段階に回転するので、通常は１時間単位で修正すれば足りるのに、実際には細かな分単位での修正を強いられることになり、修正操作が非常に煩わしくて面倒であった。
【０００６】
本発明は、以上のような従来技術が有する問題点に着目してなされたもので、構造が比較的簡易でありコスト低減が可能であり、しかも、時差の修正操作を極めて容易に行うことができ、時差のある２つの地域の時刻を一目で正確に読み取る時差表示時計を提供することを目的としている。
【０００７】
【課題を解決するための手段】
前述した目的を達成するための本発明の要旨とするところは、以下の各項に存する。
［１］２本の時針である主時針（３３）および副時針（３４）と、前記主時針（３３）が一体に支持されて運針駆動手段（１４）により回転駆動される主時針軸（１９）と、前記副時針（３４）が一体に支持されて前記主時針軸（１９）に軸支され、該主時針軸（１９）に従動して一体に回転する副時針軸（２０）とを備え、時差のある２つの時刻を表示することができる時差表示時計（１０）において、
前記副時針軸（２０）を前記主時針軸（１９）に対して従動可能に係合させると共に、該係合力に抗して一定角度ずつ間欠的に回転可能に軸支するための係脱軸受手段と、
外部操作手段（２２）による操作力を、前記副時針軸（２０）を回転させる方向に伝達可能で、前記外部操作手段（２２）による一操作単位ごとに、前記係脱軸受手段による係合力に抗して前記副時針軸（２０）を前記主時針軸（１９）に対して一定角度ずつ回転させる副時針調整手段とを有することを特徴とする時差表示時計（１０）。
【０００８】
［２］前記係脱軸受手段は、前記主時針軸（１９）の外周に連設され弾性を備えた複数のガンギ車歯（１９ａ）と、前記主時針軸（１９）に外嵌する筒状の前記副時針軸（２０）の内周に連設され、前記各ガンギ車歯（１９ａ）に噛み合うと共に各ガンギ車歯（１９ａ）の弾性変形に伴い各ガンギ車歯（１９ａ）の先端部を順次乗り越えつつ間欠的に移動可能な複数の三角歯（２０ａ）とから成ることを特徴とする［１］記載の時差表示時計（１０）。
【０００９】
［３］副時針調整手段は、前記副時針軸（２０）の外周に連設された複数の被係合歯（２０ｂ）と、時計本体（１１）の外部に設けられて押圧操作が可能な前記外部操作手段（２２）に一端が連結され、他端が前記副時針軸（２０）の外周に近接する位置まで延ばされ、前記外部操作手段（２２）の一押圧操作ごとに前記各被係合歯（２０ｂ）に一つずつ係合して押圧し、前記主時針軸（１９）に外嵌した前記副時針軸（２０）を一定角度ずつ回転させる連動部材（２１）とから成ることを特徴とする［１］または［２］記載の時差表示時計（１０）。
【００１０】
［４］前記外部操作手段（２２）を覆って押圧操作を不能とするロック位置と、前記外部操作手段（２２）から離れて押圧操作を可能とするロック解除位置とに変位可能なカバー手段（２４）を有することを特徴とする［３］記載の時差表示時計（１０）。
【００１１】
［５］前記副時針軸（２０）が前記主時針軸（１９）に対して間欠的に回転する単位となる前記一定角度を、文字盤（４０）全周が１２時間で均等分割された場合の１時間分に相当する略３０度に設定したことを特徴とする［１］，［２］，［３］または［４］記載の時差表示時計（１０）。
【００１２】
［６］前記副時針（３４）を、前記主時針（３３）の下側に重なる際に該主時針（３３）により隠蔽される大きさに形成したことを特徴とする［１］，［２］，［３］，［４］または［５］記載の時差表示時計（１０）。
【００１３】
［７］前記主時針（３３）と前記副時針（３４）とを互いに異なる色としたことを特徴とする［１］，［２］，［３］，［４］，［５］または［６］記載の時差表示時計（１０）。
【００１４】
前記本発明は次のように作用する。
本発明の係る時差表示時計（１０）によれば、２本の時針である主時針（３３）および副時針（３４）により、時差のある２つの地域の時刻を同時に表示することができ、使用者は２つの時刻を一目で正確に読み取ることができる。主時針軸（１９）は運針駆動手段（１４）により回転駆動され、副時針軸（２０）は前記主時針軸（１９）に従動して一体となって回転するが、主時針（３３）の時刻表示を何ら乱すことなく、主時針（３３）に対して副時針（３４）を任意の時差分に相当する所定角度に調整することができる。
【００１５】
すなわち、副時針軸（２０）は主時針軸（１９）に軸支されるが、係脱軸受手段を介して副時針軸（２０）は主時針軸（１９）に従動可能に係合し、該係合力に抗して一定角度ずつ間欠的に回転可能に軸支されている。また、外部操作手段（２２）による操作力は、副時針調整手段を介して副時針軸（２０）に伝達され、外部操作手段（２２）による一操作単位ごとに、前記係脱軸受手段による係合力に抗して副時針軸（２０）のみを一定角度ずつ回転させることができる。
【００１６】
前記係脱軸受手段は、具体的には例えば、前記主時針軸（１９）の外周に連設され弾性を備えた複数のガンギ車歯（１９ａ）と、前記副時針軸（２０）の内周に連設され、前記各ガンギ車歯（１９ａ）に噛み合うと共に各ガンギ車歯（１９ａ）の弾性変形に伴い各ガンギ車歯（１９ａ）の先端部を順次乗り越えつつ間欠的に移動可能な複数の三角歯（２０ａ）とにより、他の歯車機構等を別途用意することなく簡易に構成することができる。
【００１７】
また、副時針調整手段は、具体的には例えば次のように構成される。前記副時針軸（２０）の外周に複数の被係合歯（２０ｂ）を連設しておき、前記外部操作手段（２２）は時計本体（１１）の外部で押圧操作が可能に設ける。そして、連動部材（２１）の一端を前記外部操作手段（２２）に連結し、該連動部材（２１）の他端を前記副時針軸（２０）の外周に近接する位置まで延ばして、外部操作手段（２２）の一押圧操作ごとに連動部材（２１）の他端が各被係合歯（２０ｂ）に一つずつ係合して押圧するように設定する。
【００１８】
それにより、外部操作手段（２２）の一押圧操作ごとに、主時針軸（１９）に対して副時針軸（２０）を一定角度ずつ回転させることが可能となり、前記係脱軸受手段と同様に比較的簡易な構成の副時針調整手段により、時差の修正操作を極めて容易に行うことができる。
【００１９】
また、前記外部操作手段（２２）を覆って押圧操作を不能とするロック位置と、前記外部操作手段（２２）から離れて押圧操作を可能とするロック解除位置とに変位可能なカバー手段（２４）を設ければ、不用意に外部操作手段（２２）を操作することがなくなり、意図せず副時針（３４）を動かしてしまう事態を未然に防止することができる。
【００２０】
また、前記副時針軸（２０）が前記主時針軸（１９）に対して間欠的に回転する単位となる前記一定角度を、文字盤（４０）全周が１２時間で均等分割された場合の１時間分に相当する略３０度に設定すれば、副時針（３４）を細かな分単位ではなく時差計算の最小単位に相当する１時間単位で正確かつ迅速に修正することができる。
【００２１】
また、前記副時針（３４）を、前記主時針（３３）の下側に重なる際に該主時針（３３）により隠蔽される大きさに形成すれば、２つの時刻を表示させる必要のない通常表示時には、余分な副時針（３４）を主時針（３３）の下側に重ね合わせて完全に隠蔽させることができ、見た目をすっきりさせることができる。
【００２２】
さらにまた、前記主時針（３３）と前記副時針（３４）とを互いに異なる色にすれば、２つの時刻を同時に表示させる時差表示時に、主時針（３３）と副時針（３４）とが別々に指す２つの時刻を明りょうに区別することができる。
【００２３】
【発明の実施の形態】
以下、図面に基づき本発明を代表する一の実施の形態を説明する。
図１〜図５は本発明の一実施の形態に係る時差表示時計１０を示している。　本時差表示時計１０は、バンドないしブレスレットを別途装着して腕時計として構成してもよく、また、壁掛け時計として構成してもよい。
【００２４】
図１および図２に示すように、時差表示時計１０は、２本の時針である主時針３３および副時針３４と、主時針３４が一体に支持されて運針駆動手段により回転駆動される主時針軸１９と、前記副時針３４が一体に支持されて前記主時針軸１９に軸支され、該主時針軸１９に従動して一体に回転する副時針軸２０とを備えている。
【００２５】
主時針３３および副時針３４は、同期して一回転するとそれぞれ時差のある２つの時刻の１２時間を計数するものである。図２に示すように、副時針３４は、主時針３３の下側に重なる際、該主時針３３により隠蔽される大きさに形成されている。また、主時針３３と副時針３４とは互いに異なる色、例えば、主時針３３は緑色で副時針３４は赤色に形成されている。これらの時針３３，３４のほか、一回転すると６０秒を計数する秒針３１と、一回転すると６０分を計数する分針３２も備えている。
【００２６】
図１に示すように、時差表示時計１０の本体ケース１１内には、時計基台となる地板１２と、各種歯車の一端が軸支される受板１３とが、互いに離隔して対向するように配されている。また、地板１２の上面には文字盤４０が配設されている。図２に示すように文字盤４０上には、１２等分に均等割り付けした位置に「時」を表す記号として１〜１２の数字が表記されている。
【００２７】
各針３１〜３４の運針駆動手段はステップモータ１４から成り、ステップモータ１４は、各針３１〜３４の回転中心より偏心した位置に配設されている。ステップモータ１４のロータ軸には駆動歯車１４ａが一体成形されている。また、ステップモータ１４の傍らには中継歯車１５と秒針軸１６が配設されている。中継歯車１５は、その軸に前記駆動歯車１４ａに噛み合う第１歯１５ａのほか、第２歯１５ｂがそれぞれ一体成形されている。
【００２８】
秒針軸１６の下端側には、前記中継歯車１５の第２歯１５ｂに噛み合う秒針歯車１６ａと、次述する中継歯車１７に噛み合う伝達歯車１６ｂがそれぞれ一体成形されており、上端には秒針３１が一体に支持されている。秒針軸１６には、筒状の分針軸１８が回転可能に外嵌している。中継歯車１７は、秒針軸１６の回転力を分針軸１８に伝達するためのものであり、秒針軸１６の伝達歯車１６ｂに噛み合う第１歯１７ａと、分針軸１８側に噛み合う第２歯１７ｂを有している。
【００２９】
分針軸１８の下端側には、前記中継歯車１７の第２歯１７ｂに噛み合う分針歯車１８ａが一体成形されており、上端には分針３２が一体に支持されている。分針軸１８には、筒状の主時針軸１９が回転可能に外嵌している。また、前記秒針軸１６の回転力は、他の周知の歯車を介して主時針軸１９に伝達されるように構成されている。すなわち、主時針軸１９も各種歯車を介すことで、前記ステップモータ１４により回転駆動されるようになっている。
【００３０】
主時針軸１９には、筒状の副時針軸２０が回転可能にさらに外嵌している。ここで副時針軸２０は、係脱軸受手段によって、前記主時針軸１９に対して従動可能に係合すると共に、該係合力に抗して一定角度ずつ間欠的に回転可能に軸支されている。
【００３１】
係脱軸受手段は、前記主時針軸１９の外周に連設され弾性を備えた複数のガンギ車歯１９ａ，１９ａ…と、前記副時針軸２０の内周に連設され、前記各ガンギ車歯１９ａに噛み合うと共に各ガンギ車歯１９ａの弾性変形に伴い各ガンギ車歯１９ａの先端部を順次乗り越えつつ間欠的に移動可能な複数の三角歯２０ａ，２０ａ…とから成る。
【００３２】
図３に示すように、主時針軸１９の各ガンギ車歯１９ａは、主時針軸１９の外周を１２等分に均等割り付けした位置にて斜め方向に伸びるように全部で１２個設けられている。また、副時針軸２０の各三角歯２０ａも、前記各ガンギ車歯１９ａに対応して、副時針軸２０の内周を１２等分に均等割り付けした位置に全部で１２個設けられている。
【００３３】
通常の運針時に各ガンギ車歯１９ａは、各三角歯２０ａと圧接状態を保ちながら適度な弾性力を維持して係合しており、各ガンギ車歯１９ａの先端部が各三角歯２０ａの歯後底部に安定した状態で噛み合っている。そのため、副時針軸２０は、主時針軸１９に同期して安定した状態で回転することができるように設定されている。
【００３４】
このような副時針軸２０に、各ガンギ車歯１９ａと各三角歯２０ａとの係合力以上の負荷を副時針調整手段によって加えることにより、主時針３３に対する副時針３４の角度を任意に調整することができる。すなわち、副時針調整手段は、外部操作手段による操作力を、前記副時針軸２０を回転させる方向に伝達可能で、外部操作手段による一操作単位ごとに、前記係脱軸受手段による係合力に抗して副時針軸２０を主時針軸１９に対して一定角度ずつ回転させることができるように構成されている。
【００３５】
詳しく言えば副時針調整手段は、前記副時針軸２０の外周に連設された複数の被係合歯２０ｂ，２０ｂ…と、時計本体の外部に設けられて押圧操作が可能な外部操作手段に一端が連結され、他端が前記副時針軸２０の外周に近接する位置まで延ばされ、外部操作手段の一押圧操作ごとに前記各被係合歯２０ｂに一つずつ係合して押圧し、前記主時針軸１９に対して副時針軸２０を一定角度ずつ回転させる連動部材２１とから成る。
【００３６】
図３に示すように、副時針軸２０の各被係合歯２０ｂは、前記各三角歯２０ａと表裏対向するように副時針軸２０の外周を１２等分に均等割り付けした位置に全部で１２個設けられている。それにより、副時針軸２０が主時針軸１９に対して間欠的に回転する単位である一定角度は、文字盤４０全周が１２時間で均等分割された場合の１時間分に相当する略３０度に設定される。
【００３７】
図２に示すように、外部操作手段は、本体ケース（時計本体）１１の外部に設けられて押圧操作が可能なプッシャー２２から成り、このプッシャー２２に一端が連結された細棒状の連動部材２１の他端は、副時針軸２０の外周に近接する定位置で前記各被係合歯２０ｂに１つずつ係脱するように配置されている。
【００３８】
連動部材２１はバネ部材２３により、他端が各被係合歯２０ｂから離脱してプッシャー２２が突出する方向（図２中で左方向）に常時付勢されており、かかる突出した通常状態のプッシャー２２を、バネ部材２３の付勢力に抗して一押しするごとに、連動部材２１の先端部（他端）が各被係合歯２０ｂに丁度一つずつ係合して押圧し、主時針軸１９に対して副時針軸２０を１時間相当の略３０度ずつ時計回り方向へ回転させるように設定されている。
【００３９】
また、プッシャー２２の傍らには、カバー手段２４が開閉可能に設けられている。カバー手段２４は、プッシャー２２を覆って押圧操作を不能とするロック位置（図１中で実線）と、プッシャー２２から離れて押圧操作を可能とするロック解除位置（図１中で二点破線）とに開閉可能にヒンジを介して本体ケース１１に取り付けられている。
【００４０】
次に本時差表示時計１０の作用を説明する。
本時差表示時計１０によれば、２本の時針である主時針３３および副時針３４により、時差のある２つの地域の時刻を同時に表示することができ、使用者は２つの時刻を一目で正確に読み取ることができる。具体的には例えば、図４においては、東京とパリの時刻を表示している。東京とパリの時差は８時間（ただしサマータイムを除く。）であり、先行している東京の時刻は主時針３３が示す午前１０時であり、８時間遅いパリの時刻は副時針３４が示す午前２時となる。
【００４１】
また、図５においては、東京と台北の時刻を表示している。東京と台北の時差は１時間であり、先行している東京の時刻は主時針３３が示す午前１０時であり、１時間遅い台北の時刻は副時針３４が示す午前９時となる。図４，図５では何れも先行する方の時刻を主時針３３で表示し、遅い方の時刻を副時針３４で表示するようにしている。なお、図中で秒針３１は省略している。
【００４２】
主時針軸３３は前述したように各種歯車を介して、秒針３１や分針３２と共にステップモータ１４によって回転駆動され、副時針軸３４は主時針軸３３に従動して一体となって回転するので、図４や図５に示すような時差表示時に、時差に相当する主時針軸３３および副時針軸３４間の角度θが不用意に変動することはない。ただし、主時針３３の時刻表示を何ら乱すことなく、主時針３３に対して副時針３４を任意の時差分に相当する所定角度に調整することができる。
【００４３】
副時針３４が表示する時差を修正する場合には、外部操作部材であるプッシャー２２を必要な回数だけ押すとよい。すなわち、図２において、プッシャー２２をバネ部材２３の付勢力に抗して一押しするごとに、連動部材２１の先端部が副時針軸２０の外周側にある各被係合歯２０ｂに丁度一つずつ係合して押圧し、主時針軸１９に対して副時針軸２０を１時間相当の略３０度ずつ時計回り方向へ回転させる。
【００４４】
かかる副時針軸２０の回転により、副時針軸２０の内周側にある各三角歯２０ａは、その斜面が主時針軸１９の外周側から斜めに突出した各ガンギ車歯１９ａの基端側から先端部にかけて移動し、さらに各三角歯２０ａの頂点が各ガンギ車歯１９ａの先端部を弾発的に乗り越えて、各三角歯２０ａの歯後底部に噛み合う安定した状態に復元する。
【００４５】
このようにして、プッシャー２２を一押しするごとに、副時針３４を主時針３３に対して１時間相当の略３０度ずつ時計回り方向へ逐次回転させることができ、任意の時差に調整することができる。すなわち、副時針３４を細かな分単位ではなく、実際の時差計算の最小単位となる１時間単位で正確かつ迅速に修正することができる。このとき、主時針３３はもちろん、秒針３１や分針３２の時刻表示を乱すことなく、副時針３４のみを回転調整することができる。
【００４６】
また、プッシャー２２の傍らにはカバー手段２４が開閉可能に設けられており、普段はカバー手段２４を、プッシャー２２を覆って押圧操作を不能とするロック位置（図１中で実線）にしておくことにより、不用意なプッシャー２２の操作によって意図せず副時針３４が動く事態を未然に防止することができる。
【００４７】
また、副時針３４は主時針３３の下側に重なる際に、該主時針３３により隠蔽される大きさに形成されており、２つの時刻を表示させる必要のない通常表示時には、余分な副時針３４を図２に示すように主時針３３の下側に重ね合わせて完全に隠蔽させることができ、見た目をすっきりさせることができる。さらに、主時針３３と副時針３４とを互いに異なる色にすることで、２つの時刻を同時に表示させる時差表示時には、主時針３３と副時針３４とが別々に指す２つの時刻を明りょうに区別することができる。
【００４８】
以上、本発明の実施の形態を図面によって説明してきたが、具体的な構成はこれらの実施の形態に限られるものではなく、本発明の要旨を逸脱しない範囲における変更や追加があっても本発明に含まれる。なお、分針３２および主時針３３（副時針３４）は、周知の歯車機構を介してリューズ２５の回転操作により適宜所望の時間に調整できることは言うまでもない。
【００４９】
【発明の効果】
本発明に係る時差表示時計によれば、副時針軸を主時針軸に対して従動可能に係合させると共に、該係合力に抗して一定角度ずつ間欠的に回転可能に軸支するための係脱軸受手段と、外部操作手段による操作力を、前記副時針軸を回転させる方向に伝達可能で、前記外部操作手段による一操作単位ごとに、前記係脱軸受手段による係合力に抗して前記副時針軸を前記主時針軸に対して一定角度ずつ回転させる副時針調整手段とを有するので、構造が比較的簡易でありコスト低減が可能であり、しかも、時差の修正操作を極めて容易に行うことができ、時差のある２つの地域の時刻を一目で正確に読み取ることができる。
【図面の簡単な説明】
【図１】本発明の一実施の形態に係る時差表示時計を示す要部断面図である。
【図２】本発明の一実施の形態に係る時差表示時計を示す要部平面図である。
【図３】本発明の一実施の形態に係る時差表示時計の係脱軸受手段を示す拡大平面図である。
【図４】本発明の一実施の形態に係る時差表示時計の作用説明図である。
【図５】本発明の一実施の形態に係る時差表示時計の作用説明図である。
【符号の説明】
１０…時差表示時計
１１…本体ケース
１２…地板
１３…受板
１４…ステップモータ
１５…中継歯車
１６…秒針軸
１７…中継歯車
１８…分針軸
１９…主時針軸
２０…副時針軸
２１…連動部材
２２…プッシャー
２４…カバー手段
３１…秒針
３２…分針
３３…主時針
３４…副時針
４０…文字盤
【図１】
2004053315.tif 000003
【図２】
2004053315.tif 000004
【図３】
2004053315.tif 000005
【図４】
2004053315.tif 000006
【図５】
2004053315.tif 000007